(57)【要約】【課題】データの管理および検索を好適に行うデータ管理装置およびデータ管理方法を提供する。【解決手段】時間情報を有するデータを格納するデータ保存部１３、２３、３３、４３と、データに関連する事象の名称と事象の時間情報とを含むタイトル情報を入力するタイトル情報入力部１４と、入力されたタイトル情報を格納するタイトル保存部１６と、タイトル保存部１６からタイトル情報を検索するための検索情報を入力する検索情報入力部１４と、検索情報に基づいてタイトル保存部１６からタイトル情報を検索する検索部１５と、検索部１５により検索されたタイトル情報の事象の時間情報に基づいて、データ保存部１３、２３、３３、４３から事象の時間情報に対応する時間情報を有するデータを抽出する抽出部１７とを備えた。【選択図】  図１
2013073387.tif 000002
【特許請求の範囲】
【請求項１】
時間情報を有するデータを格納するデータ保存部と、
前記データに関連する事象の名称と前記事象の時間情報とを含むタイトル情報を入力するタイトル情報入力部と、
前記タイトル情報入力部から入力された前記タイトル情報を格納するタイトル保存部と、
前記タイトル保存部から前記タイトル情報を検索するための検索情報を入力する検索情報入力部と、
前記検索情報に基づいて前記タイトル保存部から前記タイトル情報を検索する検索部と、
前記検索部により検索されたタイトル情報の前記事象の時間情報に基づいて、前記データ保存部から前記事象の時間情報に対応する時間情報を有するデータを抽出する抽出部とを備えたことを特徴とするデータ管理装置。
【請求項２】
前記事象の時間情報は、前記事象の開始日時および終了日時である請求項１記載のデータ管理装置。
【請求項３】
前記時間情報を有するデータは、プラントから入力されるプロセスデータに基づくデータであり、イベントデータ、ヒストリカルデータ、トリップシーケンスデータ、日誌ログである請求項１または２記載のデータ管理装置。
【請求項４】
前記検索部により検索されたタイトル情報の選択を入力する選択入力部をさらに備え、
前記抽出部は、選択された前記タイトル情報の前記事象の時間情報に基づいて前記データを抽出する請求項１〜３のいずれか一項記載のデータ管理装置。
【請求項５】
前記選択入力部は、複数のタイトル情報の選択を入力し、
前記抽出部は、選択された前記複数のタイトル情報の前記事象の時間情報に基づいて複数の前記データを抽出する請求項４記載のデータ管理装置。
【請求項６】
前記抽出部により抽出された前記複数のデータを比較表示する表示部をさらに備えた請求項５記載のデータ管理装置。
【請求項７】
前記タイトル保存部に格納された前記タイトル情報を編集する編集部をさらに備えた請求項１記載のデータ管理装置。
【請求項８】
時間情報を有するデータを格納するデータ保存ステップと、
前記データに関連する事象の名称と前記事象の時間情報とを含むタイトル情報を入力するタイトル情報入力ステップと、
前記タイトル情報入力ステップで入力された前記タイトル情報を格納するタイトル保存ステップと、
前記タイトル情報を検索するための検索情報を入力する検索情報入力ステップと、
前記検索情報に基づいて格納された前記タイトル情報を検索する検索ステップと、
前記検索ステップで検索されたタイトル情報の前記事象の時間情報に基づいて、格納された前記事象の時間情報に対応する時間情報を有するデータを抽出する抽出ステップとを備えることを特徴とするデータ管理方法。
【発明の詳細な説明】
【技術分野】
【０００１】
本発明は、時間情報を有するデータを管理するデータ管理装置およびデータ管理方法に関する。
【背景技術】
【０００２】
近年、環境にやさしい発電を目指し、発電所における高効率な安定運転が一層求められている。このため、過去の運転データおよび試験データの蓄積、およびこれらデータを活用して次の運転操作の改善に繋げていくことが重要となっている。
【０００３】
発電プラントでは種々のイベントが発生する。イベントとは、プラントの状態変化（バルブの開閉、ポンプ運転停止など）、警報発生／復帰情報、オペレータ操作情報などの履歴である。
【０００４】
イベントは、ある事象の発生に伴い一連のイベントとして発生する場合がある。事象の一例は、運転中のポンプの切替時のパターン、点火しているバーナを切り替えるパターン、燃焼パターン切替時の燃料を切り替えるパターン、運転中のミルを切り替えるパターン、特殊な試験を行うパターン、プラント起動時のパターン、プラント停止時のパターン、弁のテスト時のパターン、事故発生時における運転操作時のパターンなどである。
【先行技術文献】
【特許文献】
【０００５】
【特許文献１】特開２００３−２４１８３０号公報
【発明の概要】
【発明が解決しようとする課題】
【０００６】
従来、これらのイベントは、発生した日時と状態変化とが全て記録されている。しかし、一連のイベントがある事象によって発生した場合、その事象を識別する記録がイベントの情報には付属していなかった。このため、事象に対応する一連のイベントは、人間系の記録や記憶によってその事象の発生日時をたよりに検索されており、過去の運転データなどの抽出や比較を困難にしていた。
【０００７】
本発明はこのような事情を考慮してなされたもので、データの管理および検索を好適に行うデータ管理装置およびデータ管理方法を提供することを目的とする。
【課題を解決するための手段】
【０００８】
本発明に係るデータ管理装置は、上述した課題を解決するために、時間情報を有するデータを格納するデータ保存部と、前記データに関連する事象の名称と前記事象の時間情報とを含むタイトル情報を入力するタイトル情報入力部と、前記タイトル情報入力部から入力された前記タイトル情報を格納するタイトル保存部と、前記タイトル保存部から前記タイトル情報を検索するための検索情報を入力する検索情報入力部と、前記検索情報に基づいて前記タイトル保存部から前記タイトル情報を検索する検索部と、前記検索部により検索されたタイトル情報の前記事象の時間情報に基づいて、前記データ保存部から前記事象の時間情報に対応する時間情報を有するデータを抽出する抽出部とを備えたことを特徴とする。
【発明の効果】
【０００９】
本発明に係るデータ管理装置およびデータ管理方法においては、データの管理および検索を好適に行うことができる。
【図面の簡単な説明】
【００１０】
【図１】本実施形態におけるデータ管理装置の機能ブロック図。
【図２】データ管理装置で利用される各種データの一例を示す説明図。
【図３】タイトル情報付与処理を説明するフローチャート。
【図４】イベント保存部に保存されるイベントデータに、タイトル情報が付与された場合の概念図。
【図５】事象検索処理を説明するフローチャート。
【図６】一連のイベントを発生させた事象に付与されたタイトル情報の検索画面の表示例。
【図７】１つのタイトル情報が選択された場合に表示される機能表示画面の表示例。
【図８】タイトル情報に基づいて検索されたイベントデータを示すイベントデータ表示画面の表示例。
【図９】データ比較表示処理を説明するフローチャート。
【図１０】２つのタイトル情報が選択された場合に表示される機能表示画面の表示例。
【図１１】タイトル情報に基づいて検索されたイベントデータを絶対時間で示すイベントデータ比較表示画面の表示例。
【図１２】タイトル情報に基づいて検索されたイベントデータを相対時間で示すイベントデータ比較表示画面の表示例。
【図１３】イベントデータをトレンド比較で示すイベントデータ比較表示画面の表示例。
【図１４】イベントデータのトレンド比較および参照アナログ値を示すイベントデータ比較表示画面の表示例。
【図１５】タイトル情報を変更および削除するためのタイトル編集画面の表示例。
【図１６】タイトル情報を追加するためのタイトル登録画面の表示例。
【発明を実施するための形態】
【００１１】
本発明に係るデータ管理装置およびデータ管理方法の実施形態を添付図面に基づいて説明する。
【００１２】
図１は、本実施形態におけるデータ管理装置１の機能ブロック図である。
【００１３】
図２は、データ管理装置１で利用される各種データの一例を示す説明図である。
【００１４】
データ管理装置１は、原子力発電プラントや火力発電プラントなどのプラントから入力される運転データや試験データを管理する装置である。
【００１５】
プロセス入力部１１は、定周期で入力されるプラントのプロセスデータをデータ管理装置１に入力する。イベント判定部１２は、プロセス入力部１１より入力されるプロセスデータをイベントデータとして保存する必要があるか否かを判定する。プロセス入力部１１より入力される全てのイベントデータを保存する場合には、イベント判定部１２を省略してもよい。イベントデータは、例えば図２（Ａ）に示すように、プラントの状態変化、日時に関する情報を有するデータである。イベント保存部１３は、イベント判定部１２より出力されるイベントデータを格納する。
【００１６】
ヒストリカルデータ処理部２２は、プロセス入力部１１から入力されるプロセスデータを圧縮保存などすることによりヒストリカルデータを生成する。ヒストリカルデータは、例えば図２(Ｂ）に示すように、イベントデータとは保存フォーマットの異なるアナログまたはデジタルの連続的なデータであり、日時情報を有するデータである。ヒストリカルデータ保存部２３は、ヒストリカルデータ処理部２２より出力されるヒストリカルデータを格納する。
【００１７】
トリップシーケンス処理部３２は、プロセス入力部１１から入力されるプロセスデータのうち、例えば図２（Ｃ）に示すように、所定のトリガが発生したデータに対する前後所定時間分のデータを取得する。トリップシーケンス保存部３３は、トリップシーケンス処理部３２より出力されるトリップシーケンスデータを格納する。
【００１８】
日誌ログ計算部４２は、プロセス入力部１１から入力されるデータに基づいて、例えば図２（Ｄ）に示すように、所定時刻単位でイベントのログを生成する。日誌ログ保存部４３は、日誌ログ計算部４２より出力される日誌ログデータを格納する。
【００１９】
対話操作部１４は、オペレータから受け付ける種々の指示を検索・保存部１５に供給する。検索・保存部１５は、対話操作部１４からの入力に基づいてタイトル保存部１６に保存されるタイトル情報を編集（追加、変更、削除など）する。また、検索・保存部１５は、対話操作部１４より供給される情報と、タイトル保存部１６に保存された情報とに基づいて、各保存部１３、２３、３３、４３より抽出するデータの条件をデータ抽出部１７に供給する。タイトル保存部１６は、検索・保存部１５より供給されるタイトル情報を保存する。
【００２０】
データ抽出部１７は、検索・保存部１５より出力される検索条件に基づいて各保存部１３、２３、３３、４３よりデータを抽出する。データ表示部１８は、データ抽出部１７より抽出されたデータを表示、またはデジタルデータとして出力しオペレータに提示する。
【００２１】
次に、データ管理装置１の動作について説明する。まず、各保存部１３、２３、３３、４３にデータが格納される際に実行される、タイトル情報付与処理について説明する。
【００２２】
図３は、タイトル情報付与処理を説明するフローチャートである。以下、イベント保存部１３に保存されるイベントデータにタイトル情報が付与される場合を一例として説明する。
【００２３】
ステップＳ１において、プロセス入力部１１よりプロセスデータが入力されると、イベント判定部１２を経てイベント保存部１３にイベントデータが格納される。
【００２４】
イベントデータは、イベントが発生した日付、時間、およびイベント名を少なくとも有する。例えば、発電遮断器をＯＮするイベントが発生すると、イベントが発生した日付（Ｄａｔｅ）である「２０１０年３月１５日」、時間（Ｔｉｍｅ）である「１０：００：２４」、イベント名（Ｎａｍｅ）である「発電遮断器  ＯＮ」という情報がイベント保存部１３に保存される。
【００２５】
ステップＳ２において、イベントデータに対してタイトル情報が付与される。具体的には、データ管理装置１は、対話操作部１４がオペレータの操作に基づいてタイトル情報を入力する。タイトル情報は、一連のイベントを発生させた事象を識別するための名称、事象の開始日時（発生日時）および開始日時（完了日時）である。
【００２６】
ステップＳ３において、検索・保存部１５は対話操作部１４よりタイトル情報を受け取ると、タイトル情報をタイトル保存部１６に格納する。
【００２７】
図４は、イベント保存部１３に保存されるイベントデータに、タイトル情報が付与された場合の概念図である。
【００２８】
例えば、検索・保存部１５が、タイトル名称（事象の名称）として「タービン保管操作」、開始日時として「２０１０年３月１５日１０：０３：００」、終了日時として「２０１０年３月１５日１０：３０：００」を有するタイトル情報を受け付ける（図４においては、☆と共に示されるデータ。）。すると、タイトル保存部１６は、これらの情報をタイトル情報としてタイトル保存部１６に格納する。
【００２９】
これにより、一連のイベントが発生した日時（日付、時間）がタイトル情報の開始日時と関連づけられる。なお、タイトル保存部１６に格納されるデータは、タイトル情報のみでありイベント情報は格納されない。また、イベント保存部１３にもタイトル情報は格納されない。
【００３０】
ヒストリカルデータ保存部２３、トリップシーケンス保存部３３および日誌ログ保存部４３に各種データが保存された場合においても、対話操作部１４はオペレータよりタイトル情報を受け付け、検索・保存部１５は供給されたタイトル情報をタイトル保存部１６に格納する。
【００３１】
次に、オペレータによる一連のイベントを発生させた事象の検索処理について説明する。
【００３２】
図５は、事象検索処理を説明するフローチャートである。
【００３３】
図６は、一連のイベントを発生させた事象に付与されたタイトル情報の検索画面の表示例である。図６は、検索・保存部１５がタイトル名称、イベント開始日時および終了日時（またはそのいずれか）からなる検索情報に基づいて一連のイベントデータを検索するための画面である。
【００３４】
ステップＳ１１において、データ表示部１８は、タイトル情報から一連のイベントデータを検索するための検索画面を表示し、オペレータに提示する。ステップＳ１２において、対話操作部１４は、オペレータよりタイトル名称の指定を名称入力欄５１で受け付ける。また、対話操作部１４は、開始日時または終了日時の指定を開始日時指定欄５２および終了日時指定欄５３で受け付ける。対話操作部１４は、オペレータにより指定された検索情報を検索・保存部１５に渡す。
【００３５】
ステップＳ１３において、検索・保存部１５は、この検索情報に基づいてタイトル保存部１６に格納されるタイトル情報を検索する。検索・保存部１５は、タイトル情報が検索された場合、そのタイトル情報をデータ表示部１８に渡す。データ表示部１８は、図６に示すように、検索されたタイトル情報をタイトル情報表示欄５４に表示してオペレータに提示する。
【００３６】
ステップＳ１４において、対話操作部１４は、オペレータよりタイトル情報の選択、および表示ボタン５５を介したタイトル情報に関連するデータの表示指示を検索画面にて受け付ける。
【００３７】
図７は、１つのタイトル情報が選択された場合に表示される機能表示画面の表示例である。
【００３８】
ステップＳ１５において、図７の機能表示画面において、対話操作部１４は図６の検索画面で選択されたタイトル情報に関連して表示させるデータ種別（イベントデータ、ヒストリカルデータ、トリップシーケンスデータまたは日誌ログ）に関する指示を受け付ける。
【００３９】
オペレータは、例えばタイトル情報から抽出されるイベントデータを表示したい場合、表示機能選択欄６１から「イベント」を選択し、単独表示ボタン６２で表示を指示する。対話操作部１４は、オペレータが指定したタイトル情報およびデータ種別を検索・保存部１５に送る。
【００４０】
ステップＳ１６において、検索・保存部１５は、このタイトル情報およびデータ種別を、データ抽出部１７に送る。データ抽出部１７は、検索・保存部１５からのタイトル情報およびデータ種別に基づいて該当する保存部１３、２３、３３、４３からデータを抽出する。データ抽出部１７は、データ種別に基づいてデータを抽出する保存部１３、２３、３３、４３を決定し、タイトル情報である開始日時および終了日時から該当するデータを抽出する。
【００４１】
ステップＳ１７において、抽出されたデータは、データ表示部１８によりＬＣＤなどのモニタに表示、またはデジタルデータとして、オペレータに提示する。
【００４２】
図８は、タイトル情報に基づいて検索されたイベントデータを示すイベントデータ表示画面の表示例である。
【００４３】
イベントデータ表示画面は、データ抽出部１７により抽出されたデータをリストで表示する。オペレータは、事象に関連するイベントデータをタイトル名称や開始・終了日時から検索することができ、タイトル名称などに基づいて膨大なイベントデータの中から所望のデータを検索・閲覧することができる。
【００４４】
なお、データ抽出部１７は、ヒストリカルデータ、トリップシーケンスデータ、日誌ログについても、タイトル情報（開始日時および終了日時）に基づいてデータを抽出し、データ表示部１８に表示させる。ヒストリカルデータなどは、イベントデータとデータ形式が異なるのみであるため、ここでは図面を用いたデータ表示画面の説明を省略する。
【００４５】
本実施形態におけるデータ管理装置１およびデータ管理方法は、予め一連の事象に付与されたタイトル情報に基づいて、プラントより入力され格納された各種データからオペレータが検索したいデータを事象ごとに検索、表示することができる。
【００４６】
データ管理装置１は、タイトル情報をタイトル名称と日時とに基づいて記憶することができるため、データの検索や閲覧の際には従来のように人間系の記録や記憶によらず、タイトル情報にてデータを管理することができる。
【００４７】
次に、タイトル情報に基づいて抽出されるデータを比較表示する処理について説明する。
【００４８】
データの比較表示は、例えば図６に示す検索画面で表示される検索されたタイトル情報の一覧から、２つのタイトル情報が選択された場合に、その２つのタイトル情報から抽出されるデータを比較表示するものである。
【００４９】
図９は、データ比較表示処理を説明するフローチャートである。
【００５０】
図１０は、２つのタイトル情報から抽出されるデータを表示する機能表示画面の表示例である。
【００５１】
ステップＳ２１〜Ｓ２３は、図５の検索画面表示ステップＳ１１〜タイトル情報検索・表示ステップＳ１３とほぼ同様であるため、ここでは詳細な説明を省略する。
【００５２】
ステップＳ２４において、対話操作部１４は、オペレータより２つのタイトル情報の選択、および表示ボタン５５を介したタイトル情報に関連するデータの表示指示を検索画面にて受け付ける。
【００５３】
ステップＳ２５において、図１０の機能表示画面において、対話操作部１４は図６の検索画面で選択されたタイトル情報に関連して表示させるデータ種別（イベントデータ、ヒストリカルデータ、トリップシーケンスデータまたは日誌ログ）に関する指示を受け付ける。オペレータは、例えばタイトル情報から抽出されるイベントデータを比較表示したい場合、表示機能選択欄６１から「イベント」を選択し、比較表示ボタン６３で比較表示を指示する。対話操作部１４は、オペレータが指定したタイトル情報およびデータ種別を検索・保存部１５に送る。対話操作部１４は、オペレータが指定したタイトル情報およびデータ種別を検索・保存部１５に送る。
【００５４】
ステップＳ２６において、検索・保存部１５は、このタイトル情報およびデータ種別を、データ抽出部１７に送る。データ抽出部１７は、検索・保存部１５からのタイトル情報およびデータ種別に基づいて該当する保存部１３、２３、３３、４３からデータを抽出する。データ抽出部１７は、データ種別に基づいてデータを抽出する保存部１３、２３、３３、４３を決定し、タイトル情報である開始日時および終了日時から該当するデータを抽出する。
【００５５】
ステップＳ２７において、抽出されたデータは、データ表示部１８によりＬＣＤなどのモニタに表示、またはデジタルデータとして、オペレータに同時に提示する。
【００５６】
図１１は、タイトル情報に基づいて検索されたイベントデータを絶対時間で示すイベントデータ比較表示画面の表示例である。
【００５７】
図１２は、タイトル情報に基づいて検索されたイベントデータを相対時間で示すイベントデータ比較表示画面の表示例である。
【００５８】
データ比較表示画面は、オペレータの操作に基づいて、イベントの発生時刻を絶対時間または相対時間で表示することができる。イベントデータ比較表示画面は、データ抽出部１７により抽出されたタイトル情報と一致するデータをリストで表示する。また、イベント比較表示画面は、選択された２つのタイトル情報から抽出されるイベントデータを左右に並べ、オペレータの比較が容易になるように表示する。
【００５９】
また、データ比較表示画面は、リストで一覧表示する以外にも、トレンドグラフで比較表示してもよい。
【００６０】
図１３は、イベントデータをトレンド比較で示すイベントデータ比較表示画面の表示例である。
【００６１】
図１４は、イベントデータのトレンド比較および参照アナログ値を示すイベントデータ比較表示画面の表示例である。
【００６２】
データ管理装置１は、イベントデータをトレンド比較で表示することにより、より視覚的な比較を容易にすることができる。また、データ管理装置１は、２つの比較パターン（相対時間比較、絶対時間比較）やグラフ表示を可能とすることでデータの解析を容易にすることができる。また、データ管理装置１は、トレンドグラフと共に参照アナログ値を示すことにより、異なる日時に発生した類似する一連の事象を比較し、差分を得ることができる。
【００６３】
なお、図１０に示す機能表示画面において、表示機能選択欄６１からヒストリカルデータを比較表示させる「ヒストリカル」が選択され、比較表示ボタン６３から比較表示が指示された場合、データ抽出部１７は、タイトル情報に基づいて検索された２つのヒストリカルデータを相対時間でトレンドデータ（重ね合わせ）を作成してもよい。
【００６４】
作成され重ね合わせのトレンドデータは、データ表示部１８で表示、またはデジタルデータとして、オペレータに提示される。データ管理装置１は、オペレータのデータの解析を容易にすることができる。
【００６５】
次に、タイトル保存部１６に格納されるタイトル情報の編集処理について説明する。タイトル保存部１６に格納されるタイトル情報は、オペレータの任意のタイミングで変更、追加、削除などの編集を行うことができる。タイトル情報の編集は、例えば図６に示す検索画面において検索されたタイトル情報が表示された後に操作可能である。
【００６６】
まず、タイトル情報を変更および削除する処理について説明する。対話操作部１４は、オペレータの操作に基づいて変更または削除を所望する一または複数のタイトル情報の選択を受け付け、編集ボタン５６（図６）でタイトル情報の編集指示を受け付ける。
【００６７】
図１５は、タイトル情報を変更および削除するためのタイトル編集画面の表示例である。
【００６８】
タイトル編集画面には、名称入力欄７１、開始日時指定欄７２、終了日時指定欄７３が設けられ、選択されたタイトル情報が各欄７１〜７３に表示される。タイトル情報を変更する場合、対話操作部１４はオペレータの操作に基づいて各欄７１〜７３の変更を受け付け、登録実行ボタン７４で登録（編集）の完了指示を受け付ける。
【００６９】
タイトル情報を削除する場合、対話操作部１４はオペレータの操作に基づいて登録削除ボタン７５で削除指示を受け付ける。
【００７０】
対話操作部１４は、変更および削除されたタイトル情報を検索・保存部１５に供給する。検索・保存部１５は、このタイトル情報をタイトル保存部１６に送り、タイトル保存部１６は新たなタイトル情報を格納する。
【００７１】
次に、タイトル情報を追加する処理について説明する。対話操作部１４は、例えば図６に示す検索画面において、新規ボタン５７を介してタイトル情報を追加する指示を受け付ける。
【００７２】
図１６は、タイトル情報を追加するためのタイトル登録画面の表示例である。
【００７３】
タイトル登録画面には、名称入力欄８１、開始日時指定欄８２、終了日時指定欄８３が設けられる。対話操作部１４は、オペレータの操作に基づいて新たなタイトル情報を受け付け、登録実行ボタン８４で登録（追加）の完了指示を受け付ける。
【００７４】
対話操作部１４は、追加されたタイトル情報を検索・保存部１５に供給する、検索・保存部１５は、このタイトル情報をタイトル保存部１６に送り、タイトル保存部１６は追加されたタイトル情報を格納する。
【００７５】
また、タイトル登録画面には、タイトル情報に終了日時を指定しない設定を行うためのチェックボックス８５が設けられる。対話操作部１４は、オペレータよりチェックボックス８５を介して終了日時を指定しない設定を受け付けた場合、終了日時以外のタイトル情報を検索・保存部１５に供給する。タイトル保存部１６は、終了日時以外のタイトル情報を格納する。
【００７６】
データ管理装置１は、終了日時の有無を設定できるため、一連の事象の開始日時は分かるが終了日時が特定できない場合であっても、タイトル情報を設定できる。例えば、タイトル情報の登録時にタイトル名称および開始日時を仮で設定した後、タイトル情報の変更機能によって編集することができる。
【００７７】
タイトル保存部１６に格納されるタイトル情報は、プラントの運転経過と共に増加傾向となる。データ管理装置１は、このタイトル情報の変更、追加、削除を可能とすることで、タイトル情報によるプラントデータの管理を容易に行うことができる。
【００７８】
また、各保存部１３、２３、３３、４３に格納されたプラントデータ（運転実績）に対しては一切加工する必要がないため、データの信頼性（不変性）を確保することができる。
【００７９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８０】
例えば、イベントデータ、ヒストリカルデータ、トリップシーケンスデータおよび日誌ログは一例であり、データ管理装置１により管理されるデータは、時間情報を有するプラントデータであればこれに限らない。
【００８１】
また、比較表示画面においては２つ以上のデータを比較表示してもよい。
【符号の説明】
【００８２】
１  データ管理装置
１１  プロセス入力部
１２  イベント判定部
１３  イベント保存部
１４  対話操作部
１５  検索・保存部
１６  タイトル保存部
１７  データ抽出部
１８  データ表示部
２２  ヒストリカルデータ処理部
２３  ヒストリカルデータ保存部
３２  トリップシーケンス処理部
３３  トリップシーケンス保存部
４２  日誌ログ計算部
４３  日誌ログ保存部
【図１】
2013073387.tif 000003
【図２】
2013073387.tif 000004
【図３】
2013073387.tif 000005
【図４】
2013073387.tif 000006
【図５】
2013073387.tif 000007
【図６】
2013073387.tif 000008
【図７】
2013073387.tif 000009
【図８】
2013073387.tif 000010
【図９】
2013073387.tif 000011
【図１０】
2013073387.tif 000012
【図１１】
2013073387.tif 000013
【図１２】
2013073387.tif 000014
【図１３】
2013073387.tif 000015
【図１４】
2013073387.tif 000016
【図１５】
2013073387.tif 000017
【図１６】
2013073387.tif 000018